(57)【要約】【課題】  本考案は、人の体の痛みの定量的な測定に利用できるツールを提供する。【解決手段】定量測定すべき痛みの程度を段階付けして、複数のブロック２１〜２７で表現する。ブロック数は段階数に合わせ、例えば７個とする。各ブロックには、それぞれ先端の尖った突起１４を設ける。段階の最も低いブロック２１には突起が無い。これは痛みが無い状態を示す。他のブロックには、それぞれ同数の突起１４が設けられている。段階の高いブロックほど突起１４の背が高い。各ブロックを触れてみて見比べて、自身の感じている痛みの程度に応じて、いずれかのブロックを選択する。これにより、痛みの程度を定量的にとらえて診断等に生かすことができる。【選択図】図１
0003190329.tif 000002
【実用新案登録請求の範囲】
【請求項１】
定量測定すべき痛みの程度を段階付けして表現するブロック群により構成されており、上記段階数に相当するブロック群に、それぞれ先端の尖った突起を設け、段階の低いものは背が低く、段階の高いものは背の高い突起を設けたことを特徴とする痛みの程度の定量測定具。
【請求項２】
最も痛みの程度が低いまたは痛みが無い場合に選択されるブロックを球形とし、他の全てのブロックは、同数の突起を有し、段階に応じて突起の背の高さが相違していることを特徴とする請求項１に記載の痛みの程度の定量測定具。
【請求項３】
最も痛みの程度が低いまたは痛みが無い場合に選択されるブロックを円盤形とし、他の全てのブロックは、上記円盤の周囲に同数の突起を有し、段階に応じて突起の高さが相違していることを特徴とする請求項１に記載の痛みの程度の定量測定具。
【請求項４】
全てのブロックは、段階順に配列されて連結一体化されていることを特徴とする請求項１または２に記載の痛みの程度の定量測定具。
【請求項５】
請求項３に記載の全てのブロックが、段階順に配列されて一本の棒状に連結一体化され、隣接するブロックの全ての突起の頂点が連続していることを特徴とする痛みの程度の定量測定具。
【考案の詳細な説明】
【技術分野】
【０００１】
本考案は、怪我や病気による患者の身体の痛みの程度を客観的に定量的に観察するために使用する痛みの程度の定量測定具に関する。
【背景技術】
【０００２】
怪我や病気により体に痛みを感じている場合に、何か手がかりが無いと、適切な治療を施すことができない。従来は、例えば、５段階評価をして、患者に痛みの程度を選択させたり、棒グラフや折れ線グラフにより痛みの変化を指し示させたりしていた。しかしながら、痛みの感じかたは個人差が激しい。痛みの程度を言葉で表現することができる人もいれば、うまく表現できない人もいる。特に子供の場合には、自分の痛みを正確に伝えることが難しい。従って、痛みの程度を定量的に測定することが困難だった。なお、本考案者は、子供が玩具のように扱って楽しみながら自分の気持ちを人に伝えることができるツールを開発して、定量的な把握を可能にした（特許文献１参照）。
【先行技術文献】
【特許文献】
【０００３】
【特許文献１】特許第５０７８１８８号公報
【考案の概要】
【考案が解決しようとする課題】
【０００４】
上記の特許文献１では、積み木に形成した窓の大きさで心理量を測定した。しかしながら、これを痛みの程度の測定に利用しても、必ずしも適切な成果は得られなかった。積み木の形と痛みとの関係が感覚的に対応させられないためと考えられる。
そこで、本考案は、特に未就学児や幼児等にも痛みの程度を的確に表現させることができる定量測定具を提供することを目的とする。
【課題を解決するための手段】
【０００５】
以下の構成はそれぞれ上記の課題を解決するための手段である。
【０００６】
＜構成１＞
定量測定すべき痛みの程度を段階付けして表現するブロック群により構成されており、上記段階数に相当するブロック群に、それぞれ先端の尖った突起を設け、段階の低いものは背が低く、段階の高いものは背の高い突起を設けたことを特徴とする痛みの程度の定量測定具。
【０００７】
＜構成２＞
最も痛みの程度が低いまたは痛みが無い場合に選択されるブロックを球形とし、他の全てのブロックは、同数の突起を有し、段階に応じて突起の背の高さが相違していることを特徴とする構成１に記載の痛みの程度の定量測定具。
【０００８】
＜構成３＞
最も痛みの程度が低いまたは痛みが無い場合に選択されるブロックを円盤形とし、他の全てのブロックは、上記円盤の周囲に同数の突起を有し、段階に応じて突起の高さが相違していることを特徴とする構成１に記載の痛みの程度の定量測定具。
【０００９】
＜構成４＞
全てのブロックは、段階順に配列されて連結一体化されていることを特徴とする構成１または２に記載の痛みの程度の定量測定具。
【００１０】
＜構成５＞
構成３に記載の全てのブロックが、段階順に配列されて一本の棒状に連結一体化され、隣接するブロックの全ての突起の頂点が連続していることを特徴とする痛みの程度の定量測定具。
【考案の効果】
【００１１】
＜構成１の効果＞
突起の背の低いブロックと突起の背の高いブロックとを見比べる。ブロックに手を触れてみて、自身の感じている痛みの程度に応じて、いずれかのブロックを選択する。これにより、痛みの程度を定量的にとらえて診断等に生かすことができる。
＜構成２の効果＞
球形の複数のブロックに、同じ数のそれぞれ異なる背の高さの突起が設けられている。各ブロックを手に取れば、自身の痛みの程度を表すブロックを選択することができる。突起の数ではなくて、突起の背の高さにより痛みの程度を計るので、直感的な選択ができる。
＜構成３の効果＞
円盤の周囲に突起を設ければ、円盤を積み木のように積んで楽しむこともできる。幼児が遊びながら自身の痛みの程度を伝えることができる。
＜構成４の効果＞
複数のブロックがばらばらである必要はない。紐等で連結されていても扱い易い。予め順番に並べられていると、痛みの程度の選択も容易である。
＜構成５の効果＞
一本の棒状に測定具を構成できれば、取り扱いも持ち運びも便利で、広く利用できる。  
【図面の簡単な説明】
【００１２】
【図１】実施例１の定量測定具１０を示す平面図である。
【図２】（ａ）〜（ｇ）は、図１に示した各ブロックの横断面図である。
【図３】ブロックと突起の変形例の説明図である。
【図４】７個のブロックを連結紐３９で連結した例を示す平面図である。
【図５】（ａ）は実施例４の連続ブロック４０の斜視図である。（ｂ）はＢ−Ｂ横断面図、（ｃ）はＣ−Ｃ横断面図、（ｄ）はＤ−Ｄ横断面図である。
【図６】実施例の定量測定具を用いた実験結果を示す一覧表である。
【考案を実施するための形態】
【００１３】
以下、本考案の実施の形態を実施例ごとに詳細に説明する。
【実施例１】
【００１４】
図１は実施例１の定量測定具１０を示す平面図である。図２（ａ）〜（ｇ）は、図１に示した各ブロックの横断面図である。
この実施例の定量測定具１０は、定量測定すべき痛みの程度を７段階に段階付けして表現する全部で７個のブロック群により構成されている。ブロック２１は痛みの無い場合に選択されるものである。ブロック２７は、最も痛みが激しい場合に選択されるものである。
【００１５】
段階数（１〜７）に相当するブロック群には、それぞれ先端の尖った突起１４を設けた。段階の低いものは突起１４の背が低く、段階の高いものは突起１４の背が高い。各ブロックの突起１４の数は同数である。突起１４の高さを同じにして突起１４の数に差をつけるだけでは、痛みの程度と対応付けにくい。広い範囲が痛む場合と狭い範囲が痛む場合とがあるからである。
【００１６】
突起の高さの差が、感覚的に痛みの程度の差としてとらえやすいと考えられる。図１の定量測定具１０で、突起の背の低いブロックと突起の背の高いブロックとを見比べる。ブロックに手を触れてみる。自身の感じている痛みの程度に応じて、いずれかのブロックを選択する。痛みが強いときは、直感的に背の高い突起のブロックを選択する。これにより、痛みの程度を定量的にとらえて診断等に生かすことができる。
【実施例２】
【００１７】
図３は、ブロックと突起の変形例の説明図である。
図１の例では、最も痛みの程度が低いまたは痛みが無い場合に選択されるブロック２１を、図３（ａ）に示すように球形とした。他の全てのブロック２２〜２７は、同数の突起１４（図１）を有し、段階に応じて突起１４の背の高さが相違するように構成した。ブロック２１を直方体や多面体のものにしても構わない。しかし、痛みの無い場合を示す単位ブロックには、角が無い全体として丸みを帯びたものがよいと考えられる。
【００１８】
突起１４の形状は各種考えられる。図３（ｂ）に示すように、突起３２は、先端が鋭く尖っている。しかしながら、この形状はブロックを手に取ったときに、掌に痛みを感じる。従って、柔軟なシリコンゴムのような材料でブロックを製造することが好ましい。
【００１９】
図３（ｃ）に示す例は、突起３４は、先端が尖っているというものの、手に触れても痛くない程度に若干丸みを帯びている。硬質プラスチック等でブロックを構成した場合には，、このような突起が適する。この例では円柱や四角柱のような突起は適さない。円錐や多角錐のような先端が尖っているものが適するといえる。
【００２０】
最も痛みの程度が低いまたは痛みが無い場合に選択されるブロックの形状は、図３（ｄ）に示すようにブロック３６のような円板状のものでもよい。この場合の突起は（ｃ）に示したようなものでもよいが、（ｅ）に示したようなものでもよい。（ｅ）に示した突起３８は、ブロック３６と同じ厚みの山状のものである。ブロック３６の周囲にこの突起３８が所定数設けられていればよい。ブロック３６を例えば、７個用意して、痛みを表現する段階に応じて、突起３８の高さを異ならせる。
【００２１】
このように、円盤の周囲に突起を設ければ、複数の円盤を積み木のように積んで楽しむこともできる。また、この実施例のものは、板を打ち抜いた構造をしているから、実施例１のものよりも製造が容易である。幼児が遊びながら自身の痛みの程度を伝えることができる。
【実施例３】
【００２２】
図４は、７個のブロックを連結紐３９で連結した例を示す平面図である。
この図の例では、全てのブロック２１〜２７が、段階順に配列されて、連結紐３９により連結一体化されている。ブロック２１〜２７を例えばプラスチックの成型体により構成する。そして、柔軟なロープからなる連結紐３９で連結する。予め段階順にブロックが並べられていると、全体を順番に触って、痛みの程度を比較的簡単に選択して示すことができる。
【実施例４】
【００２３】
図５（ａ）は実施例４の連続ブロック４０の斜視図である。（ｂ）はＢ−Ｂ横断面図、（ｃ）はＣ−Ｃ横断面図、（ｄ）はＤ−Ｄ横断面図である。
この図の連続ブロック４０は、図３（ｄ）のブロック３６の周囲に図３（ｅ）の突起３８が設けられたものが、段階順に積み重ねられるように配列され、継ぎ目が無いように一本の棒状に連結一体化されたものである。各ブロックに設けられる突起の数が同数だから、連結すると、隣接するブロックの全ての突起の頂点が連続する。
【００２４】
そして、図の横断面図から明らかなように、Ｂ−Ｂ断面の部分が、痛みの最小の状態に対応する。Ｄ−Ｄ断面に近づくにつれて、強い痛みを感じた場合に対応する。全体を握って指で触れて、自身の痛みがどの部分に相当するか指定する。例えば、このような連続ブロック４０を万年筆と同じ程度のサイズで、万年筆よりも若干太くなるように成型する。材料はシリコンゴムのような軟質プラスチックが適する。取り扱いも持ち運びも便利である。医師がこれを携帯すれば、いつでもどこでも、患者の痛みの程度を簡単に定量的に把握することができる。
【００２５】
図６は、実施例の定量測定具を用いた実験結果を示す一覧表である。
この実験は、各被験者が過去に経験した痛みの程度を数値で表現した場合と、上記の定量測定具を使用した場合とを比較したものである。症状と表示した部分は、被験者が過去に痛みを経験した事実を示す。このデータは以下のように作成した。
【００２６】
はじめに、痛みを感じた経験を尋ねる。例えば、男性（Ａさん）の場合、あばら骨を骨折したとき、捻挫したとき、虫歯が痛んだとき、原付きバイクで転倒したとき、包丁で切り傷をおったときを思い浮かべてもらう。そして、そのときの痛みの程度を思い出してもらう。
【００２７】
次に、１０ｃｍの線を引いた検査票を患者に提示する。この線の右端が一番痛い状態だと説明する。そして、それぞれの場合について「どのくらい痛かったですか」と尋ねる。患者がこの辺りというように鉛筆で印を付ける。看護師は、線の左端から印の位置までの長さを計る。例えば、７．２ｃｍなら、その痛みを７．２と「数値評価」に記録した。
【００２８】
その後，時間（数時間から３日程度）を空けて、図１に示した定量測定具を提示して、痛みを感じた５種類の経験について、その痛みの程度を表現してくれるように依頼する。７種類のブロックを比較して、それぞれの痛みの程度に相当するブロックを選択してもらう。その結果を「選択結果」に記録した。１〜７のいずれかの数値になる。
【００２９】
この実験結果から、痛みの状態を分析した上で数値に変換するようなステップを経なくても、単位ブロックを自由に選択させることで、十分に実際に即した結果が得られることがわかった。
【００３０】
なお、過去に経験した痛みについて、それらの痛みの程度を比較させた場合には、別の人との相関関係が掴みにくかった。転んだとき、頭痛のとき、腹痛のときといった異質の痛みを比較した場合には、個人差が激しいことと、過去に経験した痛みは、その程度を正確に覚えていないことも多いからである。以上の結果、今現在の痛みと直近の前日とか数日前の痛みとの比較については、本考案の定量測定具が十分に威力を発揮することが分かった。
【符号の説明】
【００３１】
１０  定量測定具
１４  突起
２１  レベル１のブロック
２２  レベル２のブロック
２３  レベル３のブロック
２４  レベル４のブロック
２５  レベル５のブロック
２６  レベル６のブロック
２７  レベル７のブロック
３２  突起
３４  突起
３６  ブロック
３８  突起
３９  連結紐
４０  連続ブロック
【図１】
0003190329.tif 000003
【図２】
0003190329.tif 000004
【図３】
0003190329.tif 000005
【図４】
0003190329.tif 000006
【図５】
0003190329.tif 000007
【図６】
0003190329.tif 000008
【手続補正書】
【提出日】平成26年2月26日(2014.2.26)
【手続補正１】
【補正対象書類名】実用新案登録請求の範囲
【補正対象項目名】請求項５
【補正方法】変更
【補正の内容】
【請求項５】
上記ブロック群を構成する全てのブロックが上記段階順に配列されて一本の棒状に連結一体化され、隣接するブロックの全ての突起の頂点が連続していることを特徴とする請求項３に記載の痛みの程度の定量測定具。